(57)【要約】【課題】測定に必要な圧迫力・圧迫範囲を確実に確保すると共に幅広い測定範囲と正確な脈波を検出できる血圧情報測定装置を提供する。【解決手段】血圧情報測定装置１は、カフ帯１１と、電磁弁駆動回路２１と、排気弁駆動回路２３と、エアポンプ駆動回路２５と、エアポンプ２７と、電磁弁３１，３３と、排気弁３５と、圧力センサ４１と、増幅器４３と、Ａ／Ｄ変換器４５と、ＣＰＵ１００と、操作スイッチ１１０と、モニタ１２０と、メモリ１３０とを備える。カフ帯１１は、駆血カフ１３と、脈波カフ１５とを含む。駆血カフ１３と脈波カフ１５とは、カフ帯の巻き付けの中心軸方向に沿って配置されている。駆血カフ１３の一部の領域と、脈波カフ１５の一部の領域とは、カフ帯１１の捲回方向（腕周方向）に沿って並列している。【選択図】図１
2010099385.tif 000002
【特許請求の範囲】
【請求項１】
血圧情報測定装置のカフ帯であって、
駆血のための駆血カフと、
脈波を測定するための脈波カフとを備え、
前記駆血カフと前記脈波カフとは、前記カフ帯の巻き付けの中心軸方向に沿って配置されており、
前記駆血カフの一部の領域と、前記脈波カフの一部の領域とは、前記カフ帯の捲回方向に沿って並列している、血圧情報測定装置のカフ帯。
【請求項２】
前記駆血カフの一部の領域の前記捲回方向の長さは、前記駆血カフの全部の領域の前記捲回方向の長さの半分以上である、請求項１に記載の血圧情報測定装置のカフ帯。
【請求項３】
前記脈波カフの一部の領域の前記捲回方向の長さは、前記脈波カフの全部の領域の前記捲回方向の長さの半分以上である、請求項１または請求項２に記載の血圧情報測定装置のカフ帯。
【請求項４】
前記脈波カフの両端のうちの前記中心軸方向に沿う両端の１つは、前記駆血カフの両端のうちの前記中心軸方向に沿う両端の間に位置している、請求項１から請求項３のいずれかに記載の血圧情報測定装置のカフ帯。
【請求項５】
前記駆血カフの両端のうちの前記中心軸方向に沿う両端の１つは、前記脈波カフの両端のうちの前記中心軸方向に沿う両端の間に位置している、請求項１から請求項４のいずれかに記載の血圧情報測定装置のカフ帯。
【請求項６】
血圧情報測定装置であって、
駆血のための駆血カフと、
脈波を測定するための脈波カフとを備え、
前記駆血カフと前記脈波カフとは、前記カフ帯の巻き付けの中心軸方向に沿って配置されており、
前記駆血カフの一部の領域と、前記脈波カフの一部の領域とは、前記カフ帯の捲回方向に沿って並列している、血圧情報測定装置。
【請求項７】
前記駆血カフの一部の領域の前記捲回方向の長さは、前記駆血カフの全部の領域の前記捲回方向の長さの半分以上である、請求項６に記載の血圧情報測定装置。
【請求項８】
前記脈波カフの一部の領域の前記捲回方向の長さは、前記脈波カフの全部の領域の前記捲回方向の長さの半分以上である、請求項６または請求項７に記載の血圧情報測定装置。
【請求項９】
前記脈波カフの両端のうちの前記中心軸方向に沿う両端の１つは、前記駆血カフの両端のうちの前記中心軸方向に沿う両端の間に位置している、請求項６から請求項８のいずれかに記載の血圧情報測定装置。
【請求項１０】
前記駆血カフの両端のうちの前記中心軸方向に沿う両端の１つは、前記脈波カフの両端のうちの前記中心軸方向に沿う両端の間に位置している、請求項６から請求項９のいずれかに記載の血圧情報測定装置。
【発明の詳細な説明】
【技術分野】
【０００１】
本発明は、動脈から得られる情報を精度よく検出するためのカフ構造を有する血圧情報測定装置に関する。
【背景技術】
【０００２】
従来、動脈硬化度を判定する装置として、心臓から駆出された脈波の伝播する速度（ＰＷＶ：Pulse  Wave  Velocity）を調べる方法がある。
【０００３】
たとえば、特開２０００−３１６８２１号公報（特許文献１）は、「下肢上肢血圧指数（足首における血圧値に対する上腕における血圧値の比、或いは上腕における血圧値に対する足首における血圧値の比）を測定するための下肢上肢血圧指数測定装置」に関する技術を開示している（段落０００１）。
【０００４】
また、特開２００７−４４３６２号公報（特許文献２）は、「血圧などの測定に用いられる血圧脈波検査用カフに関し、特に、血圧と、血管壁の硬さの指標となる脈波の伝播速度の双方の測定ができるカフ」に関する技術を開示している（段落０００１）。
【０００５】
特開２０００−７９１０１号公報（特許文献３）は、「カフ圧力の変化に伴う動脈壁の振動の変化に基づいて血圧を測定する血圧計に関し、特に血圧計のカフ帯の構造」に関する技術を開示している（段落０００１）。
【０００６】
特開２００４−２５４７１７号公報（特許文献４）は、「血圧や脈波などの生体情報を計測する血圧計における動脈圧迫用空気袋を備えたカフ帯及びそれを用いた血圧計」に関する技術を開示している（段落０００１）。
【０００７】
特開２００６−３３４１５３号公報（特許文献５）は、「血圧測定装置に関し、より詳しくは、オシロメトリック方式の血圧測定装置の改良」に関する技術を開示している（段落０００１）。
【０００８】
また、一般に、人体の腕を通る動脈のうち、上腕動脈と上腕深動脈とは、腕の付け根から肘に向けて乖離していくことが知られている（たとえば、非特許文献１参照）。
【特許文献１】特開２０００−３１６８２１号公報
【特許文献２】特開２００７−４４３６２号公報
【特許文献３】特開２０００−７９１０１号公報
【特許文献４】特開２００４−２５４７１７号公報
【特許文献５】特開２００６−３３４１５３号公報
【非特許文献１】坂井建雄、河原克雅編、人体の正常構造と機能、ＩＩ  循環器（大谷修、堀尾嘉幸著）、第４４−４５，４９頁、２００２年５月
【発明の開示】
【発明が解決しようとする課題】
【０００９】
ＰＷＶは、上腕と下肢などの少なくとも２箇所以上に脈波を測定するカフ等を装着し、同時に脈波を測定することで、それぞれの脈波の出現時間差と脈波を測定するカフ等を装着した２点間の動脈の長さから算出される。このため、少なくとも２箇所にカフ等を装着する必要があり、家庭で、ＰＷＶを簡便に測定することは難しいという問題点があった。
【００１０】
また、特開２００７−４４３６２号公報に開示された技術によると、脈派と血圧を上記のカフで測定する場合には、上腕部において上部（心臓側）と下部（末梢（手首）側）では動脈位置が異なる。そのため、腕周が異なる被験者に対して使用した場合、脈波および血圧を測定するのに必要な圧迫力・圧迫範囲を確保できない可能性がある。たとえば、設定対象腕周の上限に該当する腕を有する測定者について、「圧迫力が不足する」範囲が生じる可能性がある。さらに、脈波測定カフのみでは、末梢からの反射などが重畳するため、反射波を正しく分離できない可能性がある。
【００１１】
特開２０００−７９１０１号公報に開示された技術によると、動脈への圧迫が均一に行われないため、測定用空気袋をカフの中央部に配置しなければならない。また、圧迫用の空気袋も一体構造となっている。そのため、脈波測定の際、脈派の測定と駆血とを両立させることができない（動脈を完全に閉塞できない）ため、構造上、完全には末梢からの反射などの重畳を抑えられないという問題がある。
【００１２】
特開２００４−２５４７１７号公報に開示された技術によると、加圧カフと測定カフとが連通しているので、拍動が加圧カフを介して測定カフに伝達されるという問題がある。また、加圧カフと測定カフとが連通しているため、カフの容量が大きくなる上記構造では脈波振動が吸収される。結果として、脈波の振幅等の情報の正確な測定が困難であった。
【００１３】
また、上腕の上部と下部とでは動脈位置が異なるため、測定者によっては圧迫力を確実に確保することが困難であった。また、末梢側のみに駆血可能なカフを設けていないため、末梢からの反射などの重畳を抑えられないという問題があった。
【００１４】
特開２００６−３３４１５３号公報に開示された技術によると、前述のように、上腕部での動脈位置が異なるため、腕周の異なる測定者に対して確実に圧迫力を確保することが困難であった。
【００１５】
また、人体の上腕動脈と上腕深動脈との位置関係を考慮すると、既存のカフ帯では圧迫力が正確に各動脈に与えられず、結果として、測定結果の精度が低下する恐れもあった。
【００１６】
本発明は、上述のような問題点を解決するためになされたものであって、その目的は、測定に必要な圧迫力・圧迫範囲を確実に確保すると共に幅広い測定範囲と正確な脈波を検出できるカフ帯を提供することである。
【００１７】
他の目的は、測定に必要な圧迫力・圧迫範囲を確実に確保すると共に幅広い測定範囲と正確な脈波を検出できる血圧情報測定装置を提供することである。
【課題を解決するための手段】
【００１８】
この発明のある局面に従う血圧情報測定装置のカフ帯は、駆血のための駆血カフと、脈波を測定するための脈波カフとを備える。駆血カフと脈波カフとは、カフ帯の巻き付けの中心軸方向に沿って配置されている。駆血カフの一部の領域と、脈波カフの一部の領域とは、カフ帯の捲回方向に沿って並列している。
【００１９】
好ましくは、カフ帯は、脈波カフと駆血カフとを巻きつけるように構成されたカフをさらに備える。
【００２０】
この発明の他の局面に従う血圧情報測定装置は、駆血のための駆血カフと、脈波を測定するための脈波カフとを備える。駆血カフと脈波カフとは、カフ帯の巻き付けの中心軸方向に沿って配置されている。駆血カフの一部の領域と、脈波カフの一部の領域とは、カフ帯の捲回方向に沿って並列している。
【００２１】
好ましくは、血圧情報測定装置は、脈波カフと駆血カフとを巻きつけるように構成されたカフをさらに備える。
【００２２】
好ましくは、血圧情報測定装置は、脈波カフと駆血カフとを同時に膨張させる制御手段をさらに備える。
【００２３】
好ましくは、駆血カフの一部の領域の捲回方向の長さは、駆血カフの全部の領域の捲回方向の長さの半分以上である。
【００２４】
好ましくは、脈波カフの一部の領域の捲回方向の長さは、脈波カフの全部の領域の捲回方向の長さの半分以上である。
【００２５】
好ましくは、脈波カフの両端のうちの中心軸方向に沿う両端の１つは、駆血カフの両端のうちの中心軸方向に沿う両端の間に位置している。
【００２６】
好ましくは、駆血カフの両端のうちの中心軸方向に沿う両端の１つは、脈波カフの両端のうちの中心軸方向に沿う両端の間に位置している。
【００２７】
好ましくは、血圧情報測定装置は、脈波カフと駆血カフとを巻きつけるように構成されたカフをさらに備える。
【発明の効果】
【００２８】
本発明によると、測定に必要な圧迫力・圧迫範囲を確実に確保すると共に幅広い測定範囲と正確な脈波を検出することができる。
【発明を実施するための最良の形態】
【００２９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３０】
また、異なる実施の形態が説明される場合には、その実施の形態に係る構成の説明は、当該実施の形態に固有な構成を除き、繰り返さない。
【００３１】
＜第１の実施の形態＞
最初に、本発明の第１の実施の形態に係る血圧情報測定装置について説明する。
【００３２】
［ハードウェア構成］
図１を参照して、本発明の実施の形態に係る血圧情報測定装置１の構成について説明する。図１は、血圧情報測定装置１のハードウェア構成を表すブロック図である。血圧情報測定装置１は、カフ帯１１と、電磁弁駆動回路２１と、排気弁駆動回路２３と、エアポンプ駆動回路２５と、エアポンプ２７と、電磁弁３１，３３と、排気弁３５と、圧力センサ４１と、増幅器４３と、Ａ／Ｄ（Analog  to  Digital）変換器４５と、ＣＰＵ（Central Processing Unit）１００と、操作スイッチ１１０と、モニタ１２０と、メモリ１３０とを備える。
【００３３】
カフ帯１１は、駆血カフ１３と、脈波カフ１５とを含む。脈派カフ１５を配置させる位置は、駆血カフ１３の中心から対象となる腕周に対して６０°程度腕周方向に回転させた位置が好ましい。駆血カフ１３の中心線と、脈波カフ１５の中心線との間隔１００は、たとえば、生体の２つの動脈の間隔よりも大きいことが好ましい。生体の個体差を考慮すると、間隔１００は、サイズの大きな生体の当該動脈の間隔よりも大きいことが好ましい。なお、複数のカフ帯１１が、生体のサイズの分類に応じて準備される場合には、各サイズの上限値に応じて間隔１００が規定されてもよい。
【００３４】
なお、駆血カフ１３と脈波カフ１５との巻き付け方向の各長さは、血圧情報測定装置１の使用対象として想定される生体の標準的な腕周よりも短くても良い。駆血カフ１３および脈波カフ１５が生体に巻きつけられた時に各カフの両端部が重なり合いにくくなるため、各カフが、重複部において十分に巻きつけられないこと、あるいは、圧迫力の不足による測定の不備が防止され得る。その結果、血管への圧迫効率および脈派の検出精度が高くなる。
【００３５】
カフ帯１１は、使用者の複数の体格を想定して、複数の大きさが予め準備される。たとえば、「Ｓサイズ」は、対応の腕周が１７〜２２ｃｍを想定して規定されている。この場合、駆血カフ１３のサイズは、たとえば９０ｍｍ（腕長方向）×１６０ｍｍ（腕周方向）である。
【００３６】
「Ｍサイズ」は、対応の腕周が２２〜３２ｃｍを想定して規定されている。この場合、駆血カフ１３のサイズは、たとえば１２５ｍｍ（腕長方向）×２２０ｍｍ（腕周方向）である。
【００３７】
「Ｌサイズ」は、対応の腕周が３２〜４２ｃｍを想定して規定されている。この場合、駆血カフ１３のサイズは、たとえば１５０ｍｍ（腕長方向）×３００ｍｍ（腕周方向）である。
【００３８】
駆血カフ１３のサイズは、ＪＩＳ（Japan  Industrial  Standard）Ｔ１１１５、５．４項、「カフおよびブラダ」の規定に基づく。ＪＩＳＴ１１５５は以下のように規定する：上腕に巻くカフのブラダ（空気袋）の最適な寸法は、カフの適用腕周囲長の中央部分でブラダの幅が腕周囲長の４０％で、その長さが腕周囲長の８０％、望ましくは１００％である。被測定者の腕周囲長に対して不適切な寸法のカフの使用は測定の正確さに影響することがある。
【００３９】
駆血カフ１３の長さの規定は、以下のような公知の考えに基づく。カフ長さ（腕長方向）が上腕に対して狭すぎると血圧値は過大評価される。つまり、最高血圧値が高めに算出される「スモール・カフ・エフェクト（small-cuff  effect）」が発生する。駆血カフの長さＷ（腕長方向）と上腕径Ｄ（直径）との比（Ｗ／Ｄ）が１．２以下の場合、カフ圧が血管に有効に伝達されない。
【００４０】
ある局面において、駆血カフ１３と脈波カフ１５とは、カフ帯の巻き付けの中心軸方向に沿って配置されている。駆血カフ１３の一部の領域と、脈波カフ１５の一部の領域とは、カフ帯１１の捲回方向（腕周方向）に沿って並列している。
【００４１】
好ましくは、駆血カフ１３の一部の領域の捲回方向の長さは、駆血カフ１３の全部の領域の捲回方向の長さの半分以上である。好ましくは、脈波カフ１５の一部の領域の捲回方向の長さは、脈波カフ１５の全部の領域の捲回方向の長さの半分以上である。
【００４２】
好ましくは、脈波カフ１５の両端のうちの中心軸方向に沿う両端の１つは、駆血カフ１３の両端のうちの中心軸方向に沿う両端の間に位置している。好ましくは、駆血カフ１３の両端のうちの中心軸方向に沿う両端の１つは、脈波カフ１５の両端のうちの中心軸方向に沿う両端の間に位置している。
【００４３】
図１を再び参照して、操作スイッチ１１０は、血圧情報測定装置１に対する命令の入力を受け付ける。モニタ１２０は、血圧情報測定装置１の状態を表示する。たとえば、モニタ１２０は、血圧情報測定装置１の現在の状態、測定した血圧情報、過去に登録された使用者の識別名称、測定時刻、カフ帯１１の巻きつけ状態などを表示する。
【００４４】
ＣＰＵ１００は、血圧情報測定装置１の動作を制御する。詳しくは、ＣＰＵ１００は、電磁弁駆動回路２１に対して、電磁弁３１，３３の開閉を切り替えるための命令を送出する。電磁弁駆動回路２１は、ＣＰＵ１００からの命令に応答して、電磁弁３１に開動作を実行させ、あるいは閉動作を実行させる。
【００４５】
ＣＰＵ１００は、排気弁駆動回路２３に対して、排気弁３５の開閉を切り替える命令を送出する。ＣＰＵ１００は、エアポンプ駆動回路２５に対して、エアポンプ２７を駆動する命令あるいは停止する命令を送出する。エアポンプ２７が駆動すると、圧縮された空気は、電磁弁３１，３５を経由して、駆血カフ１３と脈波カフ１５とに供給される。
【００４６】
圧力センサ４１は、駆血カフ１３および脈波カフ１５に供給されている空気の圧力を検出し、検出信号を出力する。検出信号は、増幅器４３に入力される。
【００４７】
増幅器４３は、その信号を増幅して、増幅後の信号を出力する。出力された信号は、アナログ信号として、Ａ／Ｄ変換器４５に入力される。Ａ／Ｄ変換器４５は、入力されたアナログの信号をデジタルデータに変換し、そのデジタルデータをＣＰＵ１００に送出する。ＣＰＵ１００は、そのデジタルデータに基づいて駆血カフ１３および脈波カフ１５における内圧を検出し、検出結果に応じてエアポンプ２７の動作を制御する。制御するための信号は、前述のとおり、エアポンプ駆動回路２５に供給される。
【００４８】
メモリ１３０は、血圧情報測定装置１の製造時に予め準備されたデータおよびソフトウェアならびに血圧情報測定装置１の動作時にＣＰＵ１００によって生成されたデータ、あるいは血圧情報測定装置１の使用者によって与えられたデータを格納している。メモリ１３０は、少なくとも、不揮発性のメモリとして実現される。なお、データの一時記憶用に、高速アクセスが可能なランダムアクセスメモリがさらに用いられても良い。さらに他の局面において、血圧情報測定装置１は、メモリカードその他の着脱可能な記録媒体を駆動するためのカードリーダ、あるいは、ＵＳＢその他のデータ通信インターフェイスを備えてもよい。
【００４９】
駆血カフ１３と脈波カフ１５とは、空気袋として構成される。駆血カフ１３および脈波カフ１５は、たとえば、矩形に近い形状である。そして、図１から明らかなように、駆血カフ１３の両端部と、脈波カフ１５の両端部とは一致していなくても良い。駆血カフ１３の長手方向の一方の端部（図１の右側）は、脈波カフ１５の長手方向の一方の端部よりも外側に位置する程度に、カフ帯１１に取り付けられている。また、駆血カフ１３の長手方向の他方の端部（図１の左側）は、脈波カフ１５の他方の端部よりも右側に位置するように、カフ帯１１に取り付けられている。詳しくは、脈波カフ１５と駆血カフ１３との重複する領域の長さが、成人の標準の上腕の周囲の長さの半分程度であることが好ましい。一般に、上腕を用いて血圧情報を測定するための２つの動脈のうち一方の動脈は、上腕において、上腕骨を軸にらせん状に他の血管から徐々に離れていくように形成されている。本実施の形態に係るカフ帯１１の構成によると、少なくとも上腕周りの長さの半分程度であれば、当該２つの動脈を圧迫するように駆血カフ１３と脈波カフ１５とが配置されるからである。
【００５０】
図２を参照して、本発明の実施の形態に係るカフ帯１１の使用態様について説明する。図２は、カフ帯１１を、被測定者である使用者の左腕２００にカフ帯１１を取り付けた状態を表す図である。
【００５１】
血圧情報を測定する際、カフ帯１１は、脈波カフ１５が肩に近い位置になるように、左腕２００に巻きつけられる。このとき、脈波カフ１５および駆血カフ１３のいずれもが各血管に圧迫力を加えるように、左腕２００に巻きつけられる。
【００５２】
図３を参照して、駆血カフ１３が腕に巻きつけられた状態についてさらに説明する。図３は、駆血カフ１３を図２に示される方向Ａ−Ａから表わす断面図である。駆血カフ１３は、腕帯外布３１０と、腕帯内布３２０との間に配置されている。駆血カフ１３は、動脈を駆血するために必要な圧迫力を伝達することができればよいため、必ずしも、腕の全周をカバーする程度の長さが必要になるわけではない。逆に、腕に巻きつけられたときに駆血カフ１３の両端部が重ならないことが好ましい。駆血カフ１３の重複部により、血管の波形音が正確に測定できなくなる恐れがあるからである。
【００５３】
図４を参照して、駆血カフ１３が腕に巻きつけられた状態についてさらに説明する。図４は、脈波カフ１５を図２に示される方向Ｂ−Ｂから表わす断面図である。脈波カフ１５は、腕帯外布３１０と、腕帯内布３２０との間に配置されている。脈波カフ１５は、駆血カフ１３で駆血された動脈を圧迫することができればよいため、必ずしも、腕の全周をカバーする程度の長さが必要になるわけではない。逆に、腕に巻きつけられたときに脈波カフ１５の両端部が重ならないことが好ましい。脈波カフ１５の重複部により、血管の波形音が正確に測定できなくなる恐れがあるからである。
【００５４】
図３と図４とを参照して、カフ帯１１が測定者の腕に巻きつけられた場合における駆血カフ１３の両端部の位置と、脈波カフ１５の両端部の位置とは、必ずしも一致しなくてもよい。駆血カフ１３および脈波カフ１５は、いずれも、脈波および血圧測定に必要な同じ動脈を圧迫すればよいため、その圧迫が確実に行なわれるように、駆血カフ１３および脈波カフ１５の重複部分は、たとえば、成人の標準的な腕周の５割から８割程度であればよい。このような重複部分の構成により、駆血カフ１３が血管を正しく圧迫する位置に配置される場合、脈波カフ１５も他の血管を正しく圧迫する場所に位置することになる。
【００５５】
［機能構成］
図５を参照して、本発明の実施の形態に係る血圧情報測定装置１を実現するＣＰＵ１００について説明する。図５は、ＣＰＵ１００が実行する機能の構成を表わすブロック図である。ＣＰＵ１００は、ポンプ駆動制御部５１０と、電磁弁解閉制御部５２０と、排気弁開閉制御部５３０と、算出部５４０と、表示制御部５５０と、データ管理部５６０とを含む。これらの機能は、ＣＰＵ１００が当該機能を実行するために構成されたソフトウェアを実行することにより実現される。
【００５６】
ポンプ駆動制御部５１０は、エアポンプ２７の運転、停止その他の動作を制御するための信号をエアポンプ駆動回路２５に送出する。電磁弁開閉制御部５２０は、電磁弁３１，３３の開閉を制御する信号を、電磁弁駆動回路２１に送出する。排気弁駆動回路５３０は、排気弁３５の開閉を制御する信号を、排気弁駆動回路２３に送出する。算出部５４０は、Ａ／Ｄ変換器４５からの信号に基づいて血圧情報（血圧値、脈拍数など）を算出する。表示制御部５５０は、その血圧情報をモニタ１２０に表示させる。データ管理部５６０は、算出部５４０によって算出されたデータを、メモリ１３０に書き込む。また、データ管理部５６０は、血圧情報測定装置１に対する読出命令に応答して、メモリ１３０に格納されているデータを読み出す。表示制御部５５０は、その読み出されたデータを、モニタ１２０に表示させる。
【００５７】
［制御構造］
図６を参照して、本発明の実施の形態に血圧情報測定装置１の制御構造について説明する。図６は、カフを加圧して脈波を測定するためにＣＰＵ１００が実行する一連の動作の一部を表わすフローチャートである。なお、以降のフローチャートにおいて同一の処理には同一のステップ番号を付してある。したがって、これらの処理の説明は繰り返さない。
【００５８】
ステップＳ６１０にて、ＣＰＵ１００は、排気弁駆動回路２３に排気弁３５を閉鎖させる。ＣＰＵ１００は、血圧を測定するための駆血カフ１３への空気の供給を制御する電磁弁３３を開放する命令を、電磁弁駆動回路２１に送出する。電磁弁駆動回路２１は、曽於命令に応答して電磁弁３３を開放する。ＣＰＵ１００は、脈波カフ１５への空気の供給を制御する制御弁３１を閉鎖する命令を、電磁弁駆動回路２１に送出する。電磁弁駆動回路２１は、その命令に応答して、電磁弁３１を閉鎖する。
【００５９】
ステップＳ６１５にて、ＣＰＵ１００は、エアポンプ２７を作動する命令を、エアポンプ駆動回路２５に送出する。エアポンプ２５は、その命令に応答して、エアポンプ２７の運転を開始する。圧縮された空気がエアポンプ２５から出力される。電磁弁３１が閉じられており、電磁弁３３が開放されているため、圧縮された空気は、駆血カフ１３の内部に供給される。
【００６０】
ステップＳ６２０にて、ＣＰＵ１００は、血圧の測定（加圧測定）を開始する。
ステップＳ６２５にて、ＣＰＵ１００は、Ａ／Ｄ変換器４５からの出力に基づいて、血圧測定が完了したか否かを判定する。ＣＰＵ１００は、血圧測定が完了したと判定すると（ステップＳ６２５にてＹＥＳ）、処理をステップＳ６３０に切り替える。そうでない場合には（ステップＳ６２５にてＮＯ）、ＣＰＵ１００は、処理をステップＳ６１５に戻す。エアポンプ２７は、加圧を継続する。
【００６１】
ステップＳ６３０にて、ＣＰＵ１００は、エアポンプ２７の作動を停止させる。ステップＳ６３５にて、ＣＰＵ１０は、電磁弁３３を閉鎖する。駆血カフ１３に供給された圧縮空気が維持される。ステップＳ６４０にて、ＣＰＵ１００は、電磁弁駆動回路２１に命令を与えて、電磁弁３１を開放する。エアポンプ２７から脈波カフ１５への圧縮空気の供給路が形成される。
【００６２】
ステップＳ６４５にて、ＣＰＵ１００は、エアポンプ２７を作動させる。圧縮空気がエアポンプ２７から電磁弁３１を経由して、脈波カフ１５に供給される。ステップＳ６５０にて、ＣＰＵ１００は、Ａ／Ｄ変換器４５からの出力に基づいて、脈波カフ１５の内圧値が、予め設定された圧力値に達したか否かを判定する。当該予め設定された圧力値は、たとえば、約１００ｍｍＨｇ程度である。ＣＰＵ１００は、内圧値が予め設定された圧力値に達したと判定すると（ステップＳ６５０にてＹＥＳ）、制御をステップＳ６５５に切り替える。そうでない場合には（ステップＳ６５０にてＮＯ）、ＣＰＵ１００は、制御をステップＳ６４５に戻し、エアポンプ２７の作動を継続する。
【００６３】
ステップＳ６５５にて、ＣＰＵ１００は、脈波カフ１５からの計測値に基づいて、脈波を測定する。ステップＳ６６０にて、ＣＰＵ１００は、脈波の相関比較を行なう。詳しくは、ＣＰＵ１００は、脈波カフ１５の加圧／減圧の要否を判定する。ＣＰＵ１００は、脈波カフ１５の調整が不要であると判定すると、制御をステップＳ６８５に切り替える。ＣＰＵ１００は、脈波カフ１５の加圧が必要であると判定すると、制御をステップＳ６６５に切り替える。ＣＰＵ１００は、脈波カフ１５の減圧が必要であると判定すると、制御をステップＳ６７０に切り替える。なお、血圧情報測定装置１が加圧測定を行なう場合には、脈波カフ１５は駆血状態にあるため、駆血の十分／不十分の判定は不要となる。
【００６４】
ステップＳ６６５にて、ＣＰＵ１００は、エアポンプ２７を作動する。圧縮空気がエアポンプから電磁弁３１を経由して脈波カフ１５に供給されるため、脈波カフ１５の内圧が上昇する。その後、ＣＰＵ１００は、制御をステップＳ６５５に戻す。
【００６５】
ステップＳ６７０にて、ＣＰＵ１００は、排気弁２３を開放する命令を排気弁駆動回路２３に送出する。排気弁駆動回路２３がその命令に応答して排気弁２３を開放すると、脈波カフ１５から圧縮空気が流出する。その結果、脈波カフ１５の内圧が低下する。
【００６６】
ステップＳ６７５にて、ＣＰＵ１００は、Ａ／Ｄ変換器４５からの信号に基づいて、脈波カフ１５の内圧が予め設定された圧力値に達したか否かを判定する。ＣＰＵ１００は、内圧が予め設定された圧力値に達したと判定すると（ステップＳ６７５にてＹＥＳ）、制御をステップＳ６８０に切り替える。そうでない場合には（ステップＳ６７５にてＮＯ）、ＣＰＵ１００は、制御をステップＳ６７０に戻す。
【００６７】
ステップＳ６８０にて、ＣＰＵ１００は、排気弁３５を閉鎖する命令を排気弁駆動回路２３に送出する。排気弁駆動回路２３は、その命令に応答して排気弁３５を閉鎖する。これにより、脈波カフ１５の内圧が一定に保たれる。その後、ＣＰＵ１００は、制御をステップＳ６５５に戻す。
【００６８】
ステップＳ６８５にて、ＣＰＵ１００は、全ての電磁弁３１，３３、および、排気弁３５を開放する。脈波カフ１５および駆血カフ１３の内部の圧縮空気は外部に放出される。
【００６９】
ステップＳ６９０にて、ＣＰＵ１００は、測定結果（血圧値、脈拍数、測定日時等）をモニタ１２０に表示する。
【００７０】
［効果］
以上のようにして、本実施の形態に係る血圧情報測定装置１は、上流側（心臓側）に設けられた脈派カフ１５を駆血カフ１３に対して腕周方向に回転配置させた血圧／脈派測定用のカフ構造（カフ帯１１）を有する。脈波カフ１５および駆血カフ１３を生体に巻き付けた後、血圧情報測定装置１は、駆血カフ１３に圧力を印加し、駆血カフ１３の空気袋を膨張させる。血圧情報測定装置１は、加圧測定により血圧を測定した後、駆血カフ１３による駆血状態を維持した状態で、脈派カフ１５に圧力を印加（膨張）させて、脈波を測定する。
【００７１】
血圧情報測定装置１は、加圧による血圧の測定後に脈波測定を実施することにより、減圧測定に対し、脈波カフ１５のみの圧力印加により駆血状態での脈波測定に移行できる。これにより、全体の測定時間を短縮することができる。
【００７２】
また、カフ帯１１の構成に示されるように、脈波カフ１５を駆血カフ１３に対して生体の上腕の上部における血管（動脈）位置にあわせて体の内側（腕周方向）に回転させて配置することで、脈派カフ１５によって圧迫力・圧迫範囲を確保できる。これにより、正確な脈派情報を取得することができる。
【００７３】
また、動脈への圧迫力が不足している場合には、波形の振幅が小さくなり正確に脈波を検出することが困難となるが、本実施の形態に係る血圧情報測定装置１は、加圧測定による血圧測定後に脈波を測定する構成であるため、確実に駆血状態にて脈派測定することができる。
【００７４】
＜変形例＞
以下、第１の実施の形態の変形例について説明する。なお、本変形例に係る血圧情報測定装置のハードウェアは、第１の実施の形態に係る血圧情報測定装置１のハードウェア構成と同じである。したがって、ハードウェアの説明は繰り返さない。また、以下、第１の実施の形態に係る血圧情報測定装置１の構成を用いて本変形例に係る血圧情報測定装置を説明する。
【００７５】
本変形例に係る血圧情報測定装置１は、第１の実施の形態に係る構成において、カフ帯１１を生体に巻き付けた後、脈派カフ１５および駆血カフ１３を駆血状態（２００ｍｍＨｇ程度）まで圧力印加する。その後、血圧情報測定装置１は、脈波の測定に必要な圧力（１００ｍｍＨｇ程度）まで脈波カフ１５を減圧した後、脈派を測定する。その後、血圧情報測定装置１は、脈波カフ１５の圧力を解放した後、駆血状態の駆血カフ１３の内圧を徐々に減圧することで血圧を測定する（減圧測定）。
【００７６】
［脈波測定時］
図７を参照して、本実施の形態の変形例に係る血圧情報測定装置１の制御構造について説明する。図７は、本変形例に係る血圧情報測定装置１のＣＰＵ１００が実行する一連の動作の一部を表わすフローチャートである。前述の処理と同一の処理には同一のステップ番号を付してある。したがって、同一の処理の説明は繰り返さない。
【００７７】
ステップＳ７０５にて、ＣＰＵ１００は、排気弁３５を閉鎖し、血圧カフ（駆血カフ１３）の電磁弁３３および脈波カフ１５の電磁弁３１を開放する。
【００７８】
ステップＳ７１０にて、ＣＰＵ１００は、血圧カフの内圧が予め設定された圧力値（たとえば２００ｍｍＨｇ程度）になるまで、エアポンプ２７を駆動することにより、駆血カフ１３を加圧する。
【００７９】
ステップＳ７１５にて、ＣＰＵ１００は、排気弁３５を開放する。ステップＳ７２０にて、ＣＰＵ１００は、排気弁３５を閉鎖する。
【００８０】
ステップＳ７２５にて、ＣＰＵ１００は、脈波の相関比較を行なう。詳しくは、ＣＰＵ１００は、脈波カフ１５の加圧／減圧または駆血カフ１３の加圧の要否を判定する。この判定は、たとえば、脈波カフ１５および駆血カフ１３の各内圧が予め設定された圧力の範囲内に到達しているか否かに基づいて行なわれる。ＣＰＵ１００は、脈波カフ１５および駆血カフ１３の調整が不要であると判定すると、制御をステップＳ７３０に切り替える。ＣＰＵ１００は、駆血カフ１３の加圧が必要であると判定すると、制御をステップＳ７３０に切り替える。ＣＰＵ１００は、脈波カフ１５の減圧が必要であると判定すると、制御をステップＳ６７０に切り替える。
【００８１】
ステップＳ７３０にて、ＣＰＵ１００は、脈波カフ１５の電磁弁３１を閉鎖し、駆血カフ１３の電磁弁３３を開放し、エアポンプ２７を作動する。この場合、駆血カフ１３における駆血不足の解消のために、たとえば、３０ｍｍＨｇ程度の圧力が増加するように、ＣＰＵ１００は、エアポンプ駆動回路２５に命令を与える。
【００８２】
ステップＳ７３５にて、ＣＰＵ１００は、駆血カフ１３の電磁弁３３を閉鎖し、脈波カフ１５の電磁弁３１を開放する。
【００８３】
ステップＳ７４０にて、ＣＰＵ１００は、排気弁３５を開放する。この場合、ＣＰＵ１００は、脈波カフ１５の内圧が０ｍｍＨｇになるまで、排気弁３５を開放する。
【００８４】
ステップＳ７４５にて、ＣＰＵ１００は、脈波カフ１５の電磁弁３１と、排気弁３５とを閉鎖する。
【００８５】
ステップＳ７５０にて、ＣＰＵ１００は、駆血カフ１３の電磁弁３３を開放する。ステップＳ７５５にて、ＣＰＵ１００は、排気弁３５の開閉を制御することにより、駆血カフ１３の内圧を一定速度で減圧する。
【００８６】
ステップＳ７６０にて、ＣＰＵ１００は、Ａ／Ｄ変換器４５からの出力に基づいて、血圧を測定する（減圧測定）。
【００８７】
ステップＳ７６５にて、ＣＰＵ１００は、血圧の測定が完了したか否かを判定する。この判定は、たとえば、血圧の測定が開始されてから経過した時間が予め定められた時間を超えたか否かに基づいて行なわれる。ＣＰＵ１００は、血圧の測定が完了したと判定すると（ステップＳ７６５にてＹＥＳ）、制御をステップＳ７７０に切り替える。そうでない場合には（ステップＳ７６５にてＮＯ）、ＣＰＵ１００は制御をステップＳ７６０に戻す。
【００８８】
ステップＳ７７０にて、ＣＰＵ１００は、駆血カフ１３の電磁弁３３を開放し、急速排気する。
【００８９】
［効果］
本変形例に係る血圧情報測定装置１は、脈派測定を行なった後に血圧測定を行なう。このような順序の測定により、血圧情報測定装置１は、脈派測定時の駆血状態を保ったまま血圧測定に移行できるため、全体の測定時間を短縮することができる。
【００９０】
［波形］
ここで、図８および図９を参照して、本実施の形態に係る血圧情報測定装置１によって検出され得る波形について説明する。図８（Ａ）は、調整不要の状態において検出される波形を表す図である。図８（Ｂ）は、減圧が必要な状態において検出される波形を表す図である。図８（Ｃ）は、加圧が必要な状態において検出される波形を表す図である。
【００９１】
図８（Ａ）を参照して、波形８１０はその形状に変形が殆どないため、特徴点の抽出が容易となる。図８（Ｂ）を参照して、波形８２０は、その下部に潰れが発生している。そのため、波形８２０の特徴点が消失していることになる。図８（Ｃ）を参照して、波形８３０の振幅は、波形８１０，８２０の各振幅と比べて小さくなる。したがって、波形８３０の特徴点の抽出が困難となる。
【００９２】
図９は、駆血カフ１３による駆血が十分であるか不十分であるかを判定するための基準を説明するための図である。
【００９３】
波形９１０は、駆血が十分である場合の波形を示す。波形９２０は、駆血が不十分である場合の波形を示す。すなわち、波形９２０の部分９３０，９４０は、末梢側からの反射の影響により、そのピーク部が不明確となっている。そこで、特徴点を抽出できない場合に、駆血カフ１３への加圧により、血流を駆血し、末梢側からの反射の影響を取り除くことで、波形の特徴点を明確にして抽出することができる。
【００９４】
なお、駆血が十分であるか否かの判定は、たとえば、以下のように行なわれる。まず、ＣＰＵ１００は、図９に示される波形９１０，９２０の相関比較を行なう。具体的には、ＣＰＵ１００は、特徴点の比較を行なう。前述のとおり、駆血が不十分である場合には、ピーク部が、反射の影響により、不明確になる。そこで、ＣＰＵ１００は、このような場合を駆血が不十分である場合として判定する。この場合、ＣＰＵ１００は、駆血カフ１３を３０ｍｍＨｇ程度加圧し、その加圧の前後における脈波波形を比較し、波形の変化がなくなった場合に、駆血が十分であると判定する。
【００９５】
＜第２の実施の形態＞
以下、本発明の第２の実施の形態について説明する。本実施の形態に係る血圧情報測定装置２は、巻き付けカフに関する構成をさらに備える点で、前述の第１の実施の形態と異なる。すなわち、本発明に係るカフ帯は、いわゆるスポットアーム型構造を採用する血圧情報測定装置２にも適用できる。このような構成により、脈派カフ１５および駆血カフ１３の安定的な装着が可能となる。測定シーケンスとしては、巻き付けカフへの圧力印加後に血圧測定が行なわれる。また、「加圧測定」の場合には、第１の実施の形態と同じ動作により、血圧および脈派を連続的に計測する。
【００９６】
そこで、まず、図１０を参照して、本発明の第２の実施の形態に係る血圧情報測定装置２の構成について説明する。図１０は、第２の実施の形態に係る血圧情報測定装置２のハードウェア構成を表すブロック図である。なお、第１の実施の形態に係る血圧情報測定装置１と同じ構成の説明は繰り返さない。
【００９７】
血圧情報測定装置２は、血圧情報測定装置１が備える構成に加えて、エアポンプ駆動回路２６と、エアポンプ２８と、圧力センサ４２と、増幅器４４と、Ａ／Ｄ変換器４６と、排気弁駆動回路２５と、排気弁３６とをさらに備える。また、血圧情報測定装置２は、カフ帯１１に代えてカフ帯１０００を備える。カフ帯１０００は、駆血カフ１３と、脈波カフ１５に加えて、巻き付けカフ１６をさらに備える。なお、図１０は、カフ帯１０００が展開された状態を表わす。
【００９８】
ＣＰＵ１００は、エアポンプ駆動回路２６に命令を送出することにより、エアポンプ２８の動作を制御する。エアポンプ２８は、圧縮空気を巻き付けカフ１６に供給する。圧力センサ４２は、巻き付けカフ１６の内圧を検出し、検出信号を出力する。検出信号は、増幅器４４に入力される。増幅器４４は、その信号を増幅して出力する。出力されたアナログ信号は、Ａ／Ｄ変換器４６に入力される。Ａ／Ｄ変換器４６は、そのアナログ信号をデジタルデータに変換する。デジタルデータはＣＰＵ１００に入力される。ＣＰＵ１００は、排気弁駆動回路２４に命令を送出することにより、排気弁３６の動作を制御する。
【００９９】
［カフ帯の構成］
図１１を参照して、カフ帯１０００の構成について説明する。図１１は、本発明の第２の実施の形態に係るカフ帯１０００の断面を表す図である。カフ帯１０００は、測定者の腕２００に巻かれると、巻き付けカフ１６が外側に位置するように構成されている。
【０１００】
カフ帯１１００は、巻き付けカフ１６と脈波カフ１５との間に、カーラ１１２０を備える。カーラ１１２０は、脈波カフ１５の巻きつけを補助する。また、カフ帯１１００は、巻き付けカフ１６と駆血カフ１３との間に、カーラ１１３０を備える。カーラ１１３０は、駆血カフ１３の巻きつけを補助する。
【０１０１】
巻き付けカフ１６と、カーラ１１２０，１１３０とによって、脈波カフ１５と駆血カフ１３とは、測定者の上腕に確実に巻きつけられる。これにより、脈波カフ１５と駆血カフ１３とによる圧迫が十分に行なわれ、測定結果が反射波の影響を受けにくくなる。
【０１０２】
図１２および図１３を参照して、本実施の形態に係るカフ帯１１００の断面構造についてさらに説明する。図１２は、カフ帯１１００を線Ｘ−Ｘで切断した状態を表す図である。カフ帯１１００は、駆血カフ１３と、巻き付けカフ１６と、ハウジング１１１０と、カーラ１１３０と、緩衝材１１４０とを備える。駆血カフ１３は、カーラ１１３０と、緩衝材１１４０との間に配置されている。緩衝材１１４０は、測定者の上腕からの振動を遮断する。緩衝材１１４０は、たとえば、樹脂によって構成される。
【０１０３】
図１３は、カフ帯１１００を線Ｙ−Ｙで切断した状態を表す図である。カフ帯１１００は、ハウジング１１００と、脈波カフ１５と、巻き付けカフ１６と、カーラ１１３０と、緩衝材１１４０とを備える。緩衝材１１４０は、脈波カフ１５とカーラ１１３０との間に配置されている。緩衝材１１４０は、カーラ１１３０からの振動が脈波カフ１５に伝わることを防止する。
【０１０４】
［制御構造］
図１４を参照して、本発明の第２の実施の形態に係る血圧情報測定装置２の制御構造について説明する。図１４は、血圧情報測定装置２を実現するＣＰＵ１００が実行する一連の動作の一部を表すフローチャートである。なお、前述の第１の実施の形態における処理と同一の処理には同一のステップ番号を付してある。したがって、同一の処理の説明は繰り返さない。
【０１０５】
ステップＳ１４１０にて、ＣＰＵ１００は、巻き付けカフ１６による巻き付けを開始する。具体的には、ＣＰＵ１００は、排気弁３６を閉鎖する命令を、排気弁駆動回路２４に送出する。排気弁駆動回路２４は、その命令に応答して、排気弁３６を閉じる。
【０１０６】
ステップＳ１４１５にて、ＣＰＵ１００は、エアポンプ２８の動作を開始する命令を、エアポンプ駆動回路２６に送出する。エアポンプ駆動回路２６は、その命令に応答して、エアポンプ２８を作動する。エアポンプ２８は、圧縮空気を巻き付けカフ１６に供給し、巻き付けカフ１６は加圧される。
【０１０７】
ステップＳ１４２０にて、ＣＰＵ１００は、巻き付けカフ１６の内圧が予め設定された値に達したか否かを判定する。ＣＰＵ１００は、巻き付けカフ１６の内圧が予め設定された値に達したと判定すると（ステップＳ１４２０にてＹＥＳ）、制御をステップＳ１４２５に切り替える。そうでない場合には（ステップＳにてＮＯ）、ＣＰＵ１００は、制御をステップＳ１４１５に戻す。
【０１０８】
ステップＳ１４２５にて、ＣＰＵ１００は、巻き付けカフ１６の巻き付けを終了する。具体的には、ＣＰＵ１００は、エアポンプ２８の動作を終了する命令を、エアポンプ駆動回路２６に送出する。エアポンプ駆動回路２６は、その命令に応答して、エアポンプ２８の運転を終了する。
【０１０９】
ステップＳ１４３０にて、ＣＰＵ１００は、排気弁３６を閉鎖し、駆血カフ１３の電磁弁３３を開放し、脈波カフ１５の電磁弁３１を閉鎖する。
【０１１０】
ステップＳ１４４０にて、ＣＰＵ１００は、予め設定された圧力値と、Ａ／Ｄ変換器４６からの出力値とに基づいて、脈波カフ１５の容量（内圧）の調整の要否を判定する。ＣＰＵ１００は、調整が必要であると判定すると（ステップＳ１４４０にてＹＥＳ）、制御をステップＳ１４４５に切り替える。そうでない場合には（ステップＳ１４４０にてＮＯ）、ＣＰＵ１００は、制御をステップＳ１４８０に切り替える。
【０１１１】
ステップＳ１４４５にて、ＣＰＵ１００は、エアポンプ２８を運転する命令を、エアポンプ駆動回路２６に送出する。エアポンプ駆動回路２６は、その命令に応答して、エアポンプ２８を運転する。エアポンプ２８は、圧縮空気を巻き付けカフ１６に再度供給する。
【０１１２】
ステップＳ１４５０にて、ＣＰＵ１００は、Ａ／Ｄ変換器４６からの出力に基づいて、脈波カフ１５の内圧がΔＰ（たとえば、約１０ｍｍＨｇ程度）上昇したか否かを判定する。ＣＰＵ１００は、内圧がΔＰ上昇したと判定すると（ステップＳ１４５０にてＹＥＳ）、制御をステップＳ１４５５に切り替える。そうでない場合には（ステップＳ１４５０にてＮＯ）、ＣＰＵ１００は、制御をステップＳ１４４５に切り替える。
【０１１３】
ステップＳ１４５５にて、ＣＰＵ１００は、エアポンプ２８の運転を停止する命令を、エアポンプ駆動回路２６に送出する。エアポンプ駆動回路２６は、その命令に応答して、エアポンプ２８を停止する。巻き付けカフ１６に対する圧縮空気の供給が終了する。
【０１１４】
ステップＳ１４６０にて、ＣＰＵ１００は、排気弁３６を開放する命令を、排気弁駆動回路２４に送出する。
【０１１５】
ステップＳ１４６５にて、ＣＰＵ１００は、脈波カフ１５の内圧がΔＰ減少したか否かを判定する。ＣＰＵ１００は、内圧がΔＰ減少したと判定すると（ステップＳ１４６５にてＹＥＳ）、制御をステップＳ１４７０に切り替える。そうでない場合には（ステップＳ１４６５にてＮＯ）、ＣＰＵ１００は制御をステップＳ１４６０に戻す。
【０１１６】
ステップＳ１４７０にて、ＣＰＵ１００は、排気弁３６を閉鎖する命令を、排気弁駆動回路２４に送出する。排気弁駆動回路２４は、その命令に応答して排気弁３６を閉鎖する。
【０１１７】
ステップＳ１４７５にて、ＣＰＵ１００は、脈波（一定脈拍数）を測定する。
ステップＳ１４８０にて、ＣＰＵ１００は、駆血カフ１３の電磁弁３３と、排気弁３５とを開放する。
【０１１８】
［効果］
以上のようにして、本発明の第２の実施の形態に係る血圧情報測定装置２は、いわゆるスポットアーム型構造を有するカフ帯１０００を備える。このような構造において、たとえば、駆血カフ１３が両腕対応となっている場合には、巻き付けカフ１６を共通に使用すると共に、その内側のカフ構造を脈波測定用および血圧測定用（駆血用）で独立に配置する。また、第１の実施の形態と同じく、血圧情報測定装置２は、上流側（心臓側）に設けられた脈波カフ１５を、駆血カフ１３に対して約１８０°回転させた位置に配置することにより、血圧測定と同じ対象腕周程度まで脈波を測定することができる。これにより、生体の左右の両腕を用いた測定が可能となる。
【０１１９】
その際、脈派カフ１５のカフ幅（腕方向の長さ）を駆血カフ１３のカフ幅の３０％程度にすることで、脈派カフ１５の空気容量の増加による波形鈍り（脈派精度低下）を避けることができる。脈波カフ１５の波形鈍り（脈波カフ空気容量：要調整）が発生した場合は（ステップＳ１４４０にてＹＥＳ）、血圧情報測定装置２は、巻き付けカフ１６に圧力印加することで、駆血カフ１３を外側から圧迫する。これにより、血圧情報測定装置２は、駆血カフ１３の空気容量を増加させることなく駆血カフ１３の圧力をΔＰ（ｍｍＨｇ）増加させる。その状態で、血圧情報測定装置２は、排気弁３５の開放により駆血カフ１３の空気量を減少させながら、駆血カフ１３の内圧をΔＰ（ｍｍＨｇ）減圧させる（内圧変化量＝ΔＰ−ΔＰ＝０ｍｍＨｇ）。これにより、圧迫力を確保したまま波形鈍りを解消させることができる。
【０１２０】
また、脈波カフ１５の圧力印加（膨張）と同時に駆血カフ１３を膨張させることにより、末梢側からの脈波の反射の影響を取り除くことができる。
【０１２１】
また、巻き付けカフ１６の腕方向の幅は、脈派カフ１５の長さと駆血カフ１３の長さの和程度となるため、脈派カフ１５のみを圧迫した場合、カーラ１１２０，１１３０の傾き（巻き付けカフ１６の片押し状態）が発生し、ノイズの発生／圧迫力の不均一の原因となり得る。
【０１２２】
しかしながら、本実施の形態に係る血圧情報測定装置２によると、巻き付けカフ１６による圧迫力が脈派カフ１５および駆血カフ１６に均一に作用するため、圧力バランスが崩れなくなり、安定した計測が可能となる。
【０１２３】
また、血圧情報測定装置２のカフ帯１０００は、スポットアーム型構造を採用する。したがって、巻き付けカフ１６の動作と、脈波カフ１５および駆血カフ１３の動作とを連携して制御することにより、カフ帯１０００に含まれる各カフを長くする（空気容量が大きくなる）ことに対して、波形鈍りを解消させることができる。その結果、正確な測定と対象腕周の拡大を両立させることができる。
【０１２４】
なお、脈派測定においても血圧測定と同様に、両腕に対応する構成とすることもできる。したがって、測定の柔軟性が向上するため、使用者の利便性が高まる。
【０１２５】
＜変形例＞
以下、本発明の第２の実施の形態の変形例について説明する。本変形例に係る血圧情報測定装置２は、巻き付けカフ１６への圧力印加後には血圧測定が行なわれ、また、「減圧測定」の場合に第２の実施の形態と同じ動作により血圧および脈派が連続的に計測される。
【０１２６】
なお、本変形例に係る血圧情報測定装置２は、第２の実施の形態に係る血圧情報測定装置２と同様のハードウェア構成を用いて実現される。したがって、ハードウェア構成の説明は繰り返さない。本変形例に係る血圧情報測定装置２は、ある局面において、ＣＰＵ１００が実行するソフトウェアを変更することにより実現されるが、他の局面においては、ソフトウェアの一部または全部が回路素子の組み合わせとしても実現可能である。以下、本変形例に係る血圧情報測定装置を実現するためのソフトウェアがＣＰＵ１００によって実行される場合について説明する。
【０１２７】
［脈波測定→血圧（減圧）測定］
図１５および図１６は、ＣＰＵ１００が実行する一連の動作の一部を表すフローチャートである。なお、前述の処理と同一の処理には同一のステップ番号を付してある。したがって、同一の処理の説明は繰り返さない。
【０１２８】
図１５を参照して、ステップＳ１５１０にて、ＣＰＵ１００は、巻き付けカフ１６の内圧をメモリ１３０に保存する。ステップＳ１５２０にて、ＣＰＵ１００は、脈波カフ１５の容量調整を実施する。脈波カフ１５の内圧の変化量が（ΔＰ−ΔＰ）である場合、ＣＰＵ１００は、脈波カフ１５の内圧の目標値を、メモリ１３０に格納した圧力値に戻す。
【０１２９】
図１６を参照して、ステップＳ１５３０にて、ＣＰＵ１００は、脈波カフ１５の内圧が０ｍｍＨｇ程度になるまで、排気弁３５を開放する。ステップＳ１５４０にて、ＣＰＵ１００は、脈波カフ１５の電磁弁３１と、排気弁３５とを閉鎖する。
【０１３０】
ステップＳ１５５０にて、ＣＰＵ１００は、駆血カフ１３の電磁弁３３を開放する。ステップＳ１５６０にて、ＣＰＵ１００は、排気弁駆動回路２３を用いて排気弁３５の開閉を制御することにより、駆血カフ１３の内圧を一定の速度で減圧する。ステップＳ１５７０にて、ＣＰＵ１００は、血圧を測定する（減圧測定）。
【０１３１】
ステップＳ１５８０にて、ＣＰＵ１００は、血圧の測定が完了したか否かを判定する。ＣＰＵ１００は、血圧の測定が完了したと判定すると（ステップＳ１５８０にてＹＥＳ）、制御をステップＳ１５９０に切り換える。そうでない場合には（ステップＳ１５８０にてＮＯ）、ＣＰＵ１００は制御をステップＳ１５７０に切り換える。
【０１３２】
ステップＳ１５９０にて、ＣＰＵ１００は、駆血カフ１３の電磁弁３３を開放し、駆血カフ１３の内部に充填されていた圧縮空気を急速に排気する。
【０１３３】
［効果］
以上のようにして、本変形例に係る血圧情報測定装置２によると、巻き付けカフ１６による圧迫力が脈派カフ１５および駆血カフ１６に均一に作用するため、圧力バランスが崩れなくなり、安定した計測が可能となる。また、正確な測定と対象腕周の拡大を両立させることができる。なお、脈派測定においても血圧測定と同様に、両腕に対応する構成とすることもできる。したがって、測定の柔軟性が向上するため、使用者の利便性が高まる。
【０１３４】
なお、他の局面において、カフ帯１１に対する駆血カフ１３または脈波カフ１５の位置を変更するための構成であってもよい。この場合、当該構成は、たとえば、マジックテープ（登録商標）その他の面ファスナーによって実現される。このような構成により、駆血カフ１３と脈波カフ１５との位置関係を調節することができる。あるいは当該構成の代替例として、駆血カフ１３を含む筐体と、脈波カフ１５を含む筐体とを別個にしてもよい。各筐体を回転移動可能に構成することにより、駆血カフ１３と脈波カフ１５との位置関係を、血圧情報測定装置１の使用者に応じて容易に設定することもできる。この場合、血圧情報測定装置１は、当該情報をメモリ１３０に格納してもよい。あるいは、駆血カフ１３を含む筐体と、脈波カフ１５を含む筐体とに、目盛りあるいはダイヤルをそれぞれ設けておき、その目盛りあるいはダイヤルを参照しながら位置関係を変更できる構成であってもよい。このような構成により、駆血カフ１３あるいは脈波カフ１５の周方向の長さを短くすることができる。
【０１３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３６】
【図１】本発明の第１の実施の形態に係る血圧情報測定装置１のハードウェア構成を表すブロック図である。
【図２】本発明の第１の実施の形態に係るカフ帯１１の使用態様を表す図である。
【図３】駆血カフ１３を図２に示される方向Ａ−Ａから表わす断面図である。
【図４】脈波カフ１５を図２に示される方向Ｂ−Ｂから表わす断面図である。
【図５】血圧情報測定装置１を実現するＣＰＵ１００が実行する機能の構成を表わすブロック図である。
【図６】ＣＰＵ１００が実行する一連の動作の一部を表わすフローチャートである。
【図７】本発明の第１の実施の形態の変形例に係るＣＰＵ１００が実行する一連の動作の一部を表わすフローチャートである。
【図８】血圧情報測定装置１によって検出される波形を表す図である。
【図９】駆血カフ１３による駆血が十分であるか不十分であるかを判定するための基準を示す図である。
【図１０】本発明の第２の実施の形態に係る血圧情報測定装置２のハードウェア構成を表すブロック図である。
【図１１】血圧情報測定装置２が備えるカフ帯１０００の断面を表す図である。
【図１２】カフ帯１１００を線Ｘ−Ｘで切断した状態を表す図である。
【図１３】カフ帯１１００を線Ｙ−Ｙで切断した状態を表す図である。
【図１４】血圧情報測定装置２を実現するＣＰＵ１００が実行する一連の動作の一部を表すフローチャートである。
【図１５】本発明の第２の実施の形態の変形例に係る血圧情報測定装置２を実現するＣＰＵ１００が実行する一連の動作の一部を表すフローチャート（その１）である。
【図１６】本発明の第２の実施の形態の変形例に係る血圧情報測定装置２を実現するＣＰＵ１００が実行する一連の動作の一部を表すフローチャート（その２）である。
【符号の説明】
【０１３７】
１，２  血圧情報測定装置、１１  カフ帯、１６  巻き付けカフ、１００  間隔、２００  腕、３１０  腕帯外布、３２０  腕帯内布、８１０，８２０，８３０，９１０，９２０  波形、部分９３０，９４０、１１１０  ハウジング、１１２０，１１３０  カーラ、１１４０  緩衝材。
【図１】
2010099385.tif 000003
【図２】
2010099385.tif 000004
【図３】
2010099385.tif 000005
【図４】
2010099385.tif 000006
【図５】
2010099385.tif 000007
【図６】
2010099385.tif 000008
【図７】
2010099385.tif 000009
【図８】
2010099385.tif 000010
【図９】
2010099385.tif 000011
【図１０】
2010099385.tif 000012
【図１１】
2010099385.tif 000013
【図１２】
2010099385.tif 000014
【図１３】
2010099385.tif 000015
【図１４】
2010099385.tif 000016
【図１５】
2010099385.tif 000017
【図１６】
2010099385.tif 000018